(57)【要約】【課題】複数の塊状体（自然石）を並べることにより形成される区画空間内にコンクリートを充填する前に行われる間詰め作業の負担を軽減すると共に、その隣り合う塊状体間から充填コンクリートが漏れ出ることを確実に防止する。【解決手段】複数の自然石２ａを並べて区画空間６を形成し、その区画空間６内にコンクリート４４を充填する土木構築物用ユニット１の製造方法において、一対の間詰めユニット２２と、それらを連結する結束バンド２３とを備えるものを用意し、コンクリート４４充填前に、間詰めユニット２２の覆い板２５を、各隣り合う自然石２ａ間をその外側から跨ぐようにそれぞれ配置すると共に、その各対向する両間詰めユニット２２を結束バンド２３により締め上げ、各対向する両間詰めユニット２２の覆い板２５を隣り合う自然石２ａに跨るようにしつつ撓ませて、隣り合う自然石２ａ間の隙間５をなくす。【選択図】        図１４
2011246967.tif 000002
【特許請求の範囲】
【請求項１】
複数の塊状体を並べて区画空間を形成し、該区画空間内にコンクリートを充填して、少なくともコンクリートブロック体の周囲に塊状体が一体化された土木構築物用ユニットを製造する土木構築物用ユニットの製造方法において、
土木用間詰め具として、複数の可撓性覆い板と、該覆い板同士間を跨るように延びて該各覆い板を貫通する支持具と、該支持具の各外端部に着脱可能にそれぞれ取付けられ前記各覆い板が該支持具の外端部外方に移動することを規制する外側規制部材と、を備えるものを用意し、
前記区画空間内への前記コンクリートの充填前に、前記土木用間詰め具の前記支持具を前記区画空間内に配設すると共に、該土木用間詰め具の前記各覆い板を各隣り合う塊状体に外側からそれぞれ跨らせた状態にして、該各覆い板を、前記支持具及び前記外側規制部材に基づき該区画空間内に向けて引っ張る状態とする、
ことを特徴とする土木構築物用ユニットの製造方法。
【請求項２】
請求項１において、
前記土木用間詰め具として、可撓性覆い板と、該覆い板を摺動可能に貫通するねじ棒と、該ねじ棒の一端側に着脱可能に設けられて前記覆い板が該ねじ棒の一端側外方に移動することを規制する外側規制部材と、を備える間詰めユニットを一対有するものであって、該一対の間詰めユニットにおけるねじ棒の他端側外周面同士を連結具により当接状態に保持することによって、該土木用間詰め具の前記支持具を構成するものを用意し、
その上で、前記区画空間内への前記コンクリートの充填前に、隣り合う塊状体間のうち、対向するものの各外側に前記各間詰めユニットをそれぞれ配置して、該各間詰めユニットのねじ棒を前記区画空間内に向けて延ばすと共に該各間詰めユニットの覆い板を該各隣り合う塊状体に跨がるようにし、
次に、前記連結具を用いることにより、前記両間詰めユニットにおけるねじ棒の他端側外周面同士を重なる範囲で当接状態をもって保持し、
次に、前記一対の間詰めユニットにおける前記ねじ棒の少なくともいずれか一方を、該ねじ棒の軸心を中心として回転させて、該一対の間詰めユニットにおける前記両ねじ棒を、該両ねじ棒の他端側外周面同士の当接領域が増加する方向に移動させる、
ことを特徴とする土木構築物用ユニットの製造方法。
【請求項３】
請求項１において、
前記土木用間詰め具として、可撓性覆い板と、該覆い板を摺動可能に貫通するねじ棒と、該ねじ棒の一端側に着脱可能にそれぞれ設けられて前記覆い板が該ねじ棒の一端側外方に移動することを規制する外側規制部材と、を備える間詰めユニットを複数有するものであって、該複数の間詰めユニットにおける複数のねじ棒と、放射状に連結された複数の連結ねじ棒と、該各ねじ棒の他端側外周面と該各連結ねじ棒の外周面とをそれぞれ当接状態をもって保持する複数の連結具と、により、該土木用間詰め具の前記支持具を構成するものを用意し、
その上で、前記区画空間内への前記コンクリートの充填前に、各隣り合う塊状体間の外側に前記間詰めユニットをそれぞれ配置して、該各間詰めユニットのねじ棒を前記区画空間内に向けて延ばすと共に該各間詰めユニットの覆い板を該各隣り合う塊状体に跨がるようにし、
次に、前記連結具を用いることにより、前記各ねじ棒の外周面と前記各連結ねじ棒の外周面とを重なる範囲で当接状態をもって保持して、該各ねじ棒及び連結ねじ棒を、前記区画空間の略中央から各隣り合う塊状体間に延びるようにし、
次に、前記各間詰めユニットのねじ棒を、該各ねじ棒の軸心を中心として回転させて、該各ねじ棒及び連結ねじ棒を、該ねじ棒及び連結ねじ棒の外周面同士の当接領域が増加する方向に移動させる、
ことを特徴とする土木構築物用ユニットの製造方法。
【請求項４】
請求項１において、
前記土木用間詰め具として、可撓性覆い板と、該覆い板を摺動可能に貫通するねじ棒と、該ねじ棒の一端側に着脱可能に設けられて前記覆い板が該ねじ棒の一端側外方に移動することを規制する外側規制部材と、を備える間詰めユニットを一対有するものであって、該一対の間詰めユニットにおけるねじ棒と、該各ねじ棒の他端側に設けられる連結部材と、該両ねじ棒の連結部材同士を連結するための結束バンドと、により、該土木用間詰め具の前記支持具を構成するものを用意し、
その上で、前記区画空間内への前記コンクリートの充填前に、隣り合う塊状体間のうち、対向するものの各外側に前記各間詰めユニットをそれぞれ配置して、該各間詰めユニットのねじ棒を前記区画空間内に向けて延ばすと共に該各間詰めユニットの覆い板を該各隣り合う塊状体に跨がるようにし、
次に、前記一対の間詰めユニットの連結部材同士を前記結束バンドにより結束して、該各間詰めユニットの覆い板を前記区画空間に向けて引っ張る、
ことを特徴とする土木構築物用ユニットの製造方法。
【請求項５】
請求項１において、
前記支持具として、その各外端部に少なくとも雄ねじ部が形成された１本のねじ棒が用いられ、
前記外側規制部材として、前記ねじ棒の外周に螺合されるナットが用いられ、
前記各覆い板を前記区画空間内に向けて引っ張るに際し、前記ナットと前記ねじ棒との螺合関係を利用して、該ナットを、該ナットにより該覆い板を押圧する位置に移動させる、
ことを特徴とする土木構築物用ユニットの製造方法。
【請求項６】
請求項２〜４のいずれか１項において、
前記ねじ棒として、前記覆い板よりも内方側において、該覆い板の移動を規制する内側規制部材が設けられたものを用いる、
ことを特徴とする土木構築物用ユニットの製造方法。
【請求項７】
請求項１〜６のいずれか１項において、
前記覆い板として、材質が異なる複数の板材による積層構造をもって形成されたものを用いる、
ことを特徴とする土木構築物用ユニットの製造方法。
【請求項８】
請求項１〜７のいずれか１項において、
前記覆い板として、複数の板材による積層構造をもって形成されたものを用い、
前記複数の板材のうち、最内方の板材として、最も薄くしたものを用いる、
ことを特徴とする土木構築物用ユニットの製造方法。
【請求項９】
複数の塊状体が並べられることにより形成される区画空間内にコンクリートを充填するに際して、各隣り合う塊状体間を閉塞する土木用間詰め具であって、
前記各隣り合う塊状体間を該各隣り合う塊状体の外側から覆う複数の可撓性覆い板と、
前記覆い板同士間を跨るように延びて該各覆い板を貫通する支持具と、
前記支持具の各外端部に着脱可能にそれぞれ取付けられ前記各覆い板が該支持具の外端部外方に移動することを規制する外側規制部材と、
を備えている、
ことを特徴とする土木用間詰め具。
【請求項１０】
請求項９において、
前記覆い板と、該覆い板を摺動可能に貫通するねじ棒と、該ねじ棒の一端側に着脱可能に設けられて前記覆い板が該ねじ棒の一端側外方に移動することを規制する外側規制部材と、を有する間詰めユニットが、一対を一組として備えられ、
前記支持具が、連結具を用いることにより前記一対の間詰めユニットにおけるねじ棒の他端側外周面同士を当接状態に保持する構成とされている、
ことを特徴とする土木用間詰め具。
【請求項１１】
請求項９において、
前記覆い板と、該覆い板を摺動可能に貫通するねじ棒と、該ねじ棒の一端側に着脱可能に設けられて前記覆い板が該ねじ棒の一端側外方に移動することを規制する外側規制部材と、を有する間詰めユニットが複数備えられ、
前記支持具が、前記複数の間詰めユニットにおける複数のねじ棒と、放射状に連結された複数の連結ねじ棒と、該各連結ねじ棒の外周面と前記各ねじ棒の他端側外周面とをそれぞれ当接状態に保持する複数の連結具と、により構成されている、
ことを特徴とする土木用間詰め具。
【請求項１２】
請求項９において、
前記覆い板と、該覆い板を摺動可能に貫通するねじ棒と、該ねじ棒の一端側に着脱可能に設けられて前記覆い板が該ねじ棒の一端側外方に移動することを規制する外側規制部材と、を有する一対の間詰めユニットが備えられ、
前記支持具が、前記一対の間詰めユニットにおけるねじ棒と、該各ねじ棒の他端側に設けられる連結部材と、該両ねじ棒の連結部材同士を連結するための結束バンドと、により構成されている、
ことを特徴とする土木用間詰め具。
【請求項１３】
請求項９において、
前記支持具として、その各外端部が少なくとも雄ねじ部に形成された１本のねじ棒が用いられ、
前記外側規制部材として、前記ねじ棒の外周に螺合されるナットが用いられている、
ことを特徴とする土木用間詰め具。
【請求項１４】
請求項１０又は１１において、
前記外側規制部材が、前記ねじ棒に対して該ねじ棒の外端から一定範囲に限り螺合可能とされ、
前記外側規制部材に、該外側規制部材に回動力を付与する回動力付与部が備えられている、
ことを特徴とする土木用間詰め具。
【請求項１５】
請求項１０〜１２のいずれか１項において、
前記ねじ棒の外周に、前記覆い板よりも内方側において、該覆い板の移動を規制する内側規制部材が設けられている、
ことを特徴とする土木用間詰め具。
【請求項１６】
請求項９〜１３のいずれか１項おいて、
前記覆い板が、材質が異なる複数の板材による積層構造をもって形成されている、
ことを特徴とする土木用間詰め具。
【請求項１７】
請求項９〜１３のいずれか１項おいて、
前記覆い板が、複数の板材による積層構造をもって形成され、
前記複数の板材のうち、最内方の板材が最も薄くされている、
ことを特徴とする土木用間詰め具。
【請求項１８】
請求項９〜１３のいずれか１項おいて、
前記覆い板が、複数の板材による積層構造をもって形成され、
前記複数の板材として、木材、ウレタンフォームシート、厚手のヤシ繊維シート、薄手のヤシ繊維シートが備えられ、
前記覆い板が、前記木材、ウレタンフォームシート、厚手のヤシ繊維シート、薄手のヤシ繊維シートを前記支持具の延び方向内方側に向けて順に、積層した構成とされ、
前記木材の横幅が、前記隣り合う塊状体間の横幅よりも狭くされている、
ことを特徴とする土木用間詰め具。
【発明の詳細な説明】
【技術分野】
【０００１】
本発明は、土木構築物用ユニットの製造方法及び土木構築物用ユニットの製造方法の実施に直接使用する土木用間詰め具に関する。
【背景技術】
【０００２】
土木構築物としての護岸には、多数の土木構築物用ユニットを施工面に敷設したもの、複数の土木構築物用ユニットを階段状に積み上げたもの等がある。この土木構築物用ユニットには、例えば特許文献１に示すように、コンクリートブロック体の周囲に複数の塊状部材を配置し、その各塊状部材にアンカーを、その一端部をもって連結すると共に、該各アンカーの一端部よりも他端側をコンクリートブロック体内に埋め込んだものが提案されている。このものによれば、複数の塊状部材とコンクリートブロック体とにより重量安定性を確保できると共に、そのコンクリートブロック体を囲む複数の塊状部材の不規則な形状に基づき周囲の自然環境に調和させることができることになる。その一方、重量安定性を確保するための部品としてコンクリートブロック体を用いることから、籠等の収容容器を省くことができることになり、部品点数の低減を図ることができる。
【０００３】
ところで、このような土木構築物用ユニットを製造するには、複数の塊状体（上記土木構築物用ユニットにおいてはアンカー付き塊状体）を作業面上に並べて区画空間を形成し、その区画空間内にコンクリートを充填することが行われる。この場合、隣り合う塊状体間に隙間が生じて充填コンクリートが漏れ出ることから、そのコンクリートの充填前に、各隣り合う塊状体間にその外側から割栗石や土嚢を積み上げて間詰め作業を行い、各隣り合う塊状体間の隙間が閉塞される。これにより、割栗石、土嚢等は、その質量をもって、区画空間内に充填されるコンクリートに抗し、区画空間内のコンクリートが区画空間外に漏れ出ることを防止する。
【特許文献１】特許第３７３７５０９号
【発明の概要】
【発明が解決しようとする課題】
【０００４】
しかし、上記製造方法では、間詰め具として、重量物である土嚢等が用いられることになり、それらを用いた間詰め作業（積み上げ作業等）は、煩雑であるばかりか、作業者にとってかなりの負担となる。
また、土嚢等は、上述の通り、その質量だけにより区画空間内のコンクリートに抗しており、コンクリートに抗するには十分とはいえない。このため、コンクリートが漏れ出てコンクリートブロック体に不規則に盛り上がり部が形成される傾向にある。さらには、区画空間内に充填されたコンクリートをバイブレータを用いて締固めする場合には、バイブレータの振動により土嚢等が外側へ滑動、崩落し、間詰め効果が損なわれるおそれがある。
【０００５】
本発明は、このような事情に鑑みてなされたもので、その第１の技術的課題は、複数の塊状体を並べることにより形成される区画空間内にコンクリートを充填する前に行われる間詰め作業の負担を軽減できると共に、その隣り合う塊状体間から充填コンクリートが漏れ出ることを確実に防止できる土木構築物用ユニットの製造方法を提供することにある。
第２の技術的課題は、上記土木構築物用ユニットの製造方法の実施に直接使用する土木用間詰め具を提供することにある。
【課題を解決するための手段】
【０００６】
前記第１の技術的課題を達成するために本発明（請求項１に係る発明）にあっては、
複数の塊状体を並べて区画空間を形成し、該区画空間内にコンクリートを充填して、少なくともコンクリートブロック体の周囲に塊状体が一体化された土木構築物用ユニットを製造する土木構築物用ユニットの製造方法において、
土木用間詰め具として、複数の可撓性覆い板と、該覆い板同士間を跨るように延びて該各覆い板を貫通する支持具と、該支持具の各外端部に着脱可能にそれぞれ取付けられ前記各覆い板が該支持具の外端部外方に移動することを規制する外側規制部材と、を備えるものを用意し、
前記区画空間内への前記コンクリートの充填前に、前記土木用間詰め具の前記支持具を前記区画空間内に配設すると共に、該土木用間詰め具の前記各覆い板を各隣り合う塊状体に外側からそれぞれ跨らせた状態にして、該各覆い板を、前記支持具及び前記外側規制部材に基づき該区画空間内に向けて引っ張る状態とする構成としてある。この請求項１の好ましい態様としては、請求項２〜８の記載の通りとなる。
【０００７】
前記第２の技術的課題を達成するために本発明（請求項９に係る発明）にあっては、
複数の塊状体が並べられることにより形成される区画空間内にコンクリートを充填するに際して、各隣り合う塊状体間を閉塞する土木用間詰め具であって、
前記各隣り合う塊状体間を該各隣り合う塊状体の外側から覆う複数の可撓性覆い板と、
前記覆い板同士間を跨るように延びて該各覆い板を貫通する支持具と、
前記支持具の各外端部に着脱可能にそれぞれ取付けられ前記各覆い板が該支持具の外端部外方に移動することを規制する外側規制部材と、
を備えている構成としてある。この請求項９の好ましい態様としては、請求項１０以下の記載の通りとなる。
【発明の効果】
【０００８】
本発明（請求項１に係る発明）によれば、区画空間内への前記コンクリートの充填前に、土木用間詰め具の支持具を区画空間内に配設すると共に、土木用間詰め具の各覆い板を各隣り合う塊状体に外側からそれぞれ跨らせた状態にして、各覆い板を、支持具及び外側規制部材に基づき区画空間内に向けて引っ張る状態とすることから、当該土木用間詰め具を用いて、隣り合う塊状体間を閉塞できる。この場合、支持具が、コンクリート圧を覆い板を介して、その引張り強度として受け止めることになり、区画空間内のコンクリート圧に対して覆い板は十分に抗することができる。しかも、可撓性覆い板を、隣り合う塊状体に跨った状態で区画空間内に向けて引っ張る状態にすることから、覆い板を撓ませて隣り合う塊状体に沿わせる（馴染ませる）ことができ、覆い板による隣り合う塊状体間の閉塞状態を確実に維持して、その隣り合う塊状体間からコンクリートが漏れ出ることを確実に防止できる。これにより、コンクリートブロック体の形状を一定規格のものに形成できる。
また、土木用間詰め具を比較的軽量な部材を用いて形成でき、それらを簡単に搬送することができる。しかも、上記のように、コンクリートの充填前において、支持具を区画空間内に配設すると共に、各覆い板を各隣り合う塊状体に外側からそれぞれ跨らせた状態にして、各覆い板が区画空間内に向けて引っ張られる状態にセットするだけで、各隣り合う塊状体間の間詰め作業を終えることになり、重量物の積み上げ作業等を行う必要はなくなる。このため、作業者の作業負担を格段に軽減できる。
したがって、複数の塊状体を並べることにより形成される区画空間内にコンクリートを充填する前に行われる間詰め作業の負担を軽減できると共に、その各隣り合う塊状体間から充填コンクリートが漏れ出ることを確実に防止できる。
勿論この場合、コンクリートの硬化後に、外側規制部材を取り外すと共に、覆い板を引き抜くことができることから、覆い板等の間詰め具を簡単に除去できる。
【０００９】
請求項２に係る発明によれば、土木用間詰め具として、可撓性覆い板と、覆い板を摺動可能に貫通するねじ棒と、ねじ棒の一端側に着脱可能に設けられて覆い板がねじ棒の一端側外方に移動することを規制する外側規制部材と、を備える間詰めユニットを一対有するものであって、一対の間詰めユニットにおけるねじ棒の他端側外周面同士を連結具により当接状態に保持することによって、土木用間詰め具の支持具を構成するものを用意し、その上で、区画空間内へのコンクリートの充填前に、隣り合う塊状体間のうち、対向するものの各外側に前記各間詰めユニットをそれぞれ配置して、各間詰めユニットのねじ棒を区画空間内に向けて延ばすと共に各間詰めユニットの覆い板を各隣り合う塊状体に跨がるようにし、次に、前記連結具を用いることにより、両間詰めユニットにおけるねじ棒の他端側外周面同士を重なる範囲で当接状態をもって保持し、次に、一対の間詰めユニットにおけるねじ棒の少なくともいずれか一方を、ねじ棒の軸心を中心として回転させて、一対の間詰めユニットにおける両ねじ棒を、該両ねじ棒の他端側外周面同士の当接領域（ねじ山同士が係合している領域）が増加する方向に移動させることから、各ねじ棒とその各ねじ棒上の外側規制部材とに基づき、各覆い板は区画空間に向けて引っ張られて、各隣り合う塊状体に沿って撓むことになる。このため、各覆い板により各隣り合う塊状体間の閉塞状態を確実に維持して、その各隣り合う塊状体間からコンクリートが漏れ出ることを確実に防止できる。
また、支持具が、連結具を用いることにより一対の間詰めユニットにおけるねじ棒の他端側外周面同士を当接状態に保持して該一対のねじ棒を連結状態とする構成であることから、支持具全体を、高い剛性を有する剛体として構成できることになり、各覆い板の撓み状態を保持しつつ充填コンクリート圧に十分に抗することができるばかりでなく、当該土木構築物用ユニットの完成後において、その土木構築物用ユニットの強度を高めることができる。
さらに、連結具を用いることにより、各間詰めユニットにおけるねじ棒の他端側外周面同士を重なる範囲で当接状態に保持し、その上で、一対の間詰めユニットにおけるねじ棒の少なくともいずれか一方を、ねじ棒の軸心を中心として回転させて、一対の間詰めユニットにおける両ねじ棒を、該両ねじ棒の他端側外周面同士の当接領域が増加する方向に移動させる構成であることから、両ねじ棒の雄ねじ部同士の係合関係に基づいて該両ねじ棒の全長を微調整することができ、各覆い板の撓み状態を的確に調整できる。このため、各隣り合う塊状体間から充填コンクリートが漏れ出ることを、一層確実に防止できる。
【００１０】
請求項３に係る発明によれば、土木用間詰め具として、可撓性覆い板と、覆い板を摺動可能に貫通するねじ棒と、ねじ棒の一端側に着脱可能にそれぞれ設けられて覆い板が該ねじ棒の一端側外方に移動することを規制する外側規制部材と、を備える間詰めユニットを複数有するものであって、複数の間詰めユニットにおける複数のねじ棒と、放射状に連結された複数の連結ねじ棒と、各ねじ棒の他端側外周面と各連結ねじ棒の外周面とをそれぞれ当接状態をもって保持する複数の連結具と、により、土木用間詰め具の前記支持具を構成するものを用意し、その上で、区画空間内へのコンクリートの充填前に、各隣り合う塊状体間の外側に前記間詰めユニットをそれぞれ配置して、各間詰めユニットのねじ棒を区画空間内に向けて延ばすと共に各間詰めユニットの覆い板を該各隣り合う塊状体に跨がるようにし、次に、連結具を用いることにより、各ねじ棒の外周面と各連結ねじ棒の外周面とを重なる範囲で当接状態をもって保持して、各ねじ棒及び連結ねじ棒を、区画空間の略中央から各隣り合う塊状体間に延びるようにし、次に、各間詰めユニットのねじ棒を、該各ねじ棒の軸心を中心として回転させて、各ねじ棒及び連結ねじ棒を、該ねじ棒及び連結ねじ棒の外周面同士の当接領域が増加する方向に移動させることから、各ねじ棒、連結ねじ棒棒及びねじ棒上の外側規制部材に基づき、各覆い板は区画空間に向けて引っ張られて、各隣り合う塊状体に沿って区画空間内に向けて撓むことになる。このため、隣り合う塊状体間（の隙間）同士が対向する関係にない場合（隣り合う塊状体間の数が奇数の場合等）であっても、各覆い板により各隣り合う塊状体間を確実に閉塞状態にでき、その各隣り合う塊状体間からコンクリートが漏れ出ることを確実に防止できる。
また、各間詰めユニットにおけるねじ棒が複数の連結ねじ棒を介して互いに連結されることになり、支持具全体は、極めて高い剛性を有する剛体となる。このため、各覆い板の撓み状態を保持しつつ充填コンクリート圧に十分に抗することができるばかりでなく、当該土木構築物用ユニットの完成後において、その土木構築物用ユニットの強度を著しく高めることができる。
【００１１】
請求項４に係る発明によれば、土木用間詰め具として、可撓性覆い板と、覆い板を摺動可能に貫通するねじ棒と、ねじ棒の一端側に着脱可能に設けられて覆い板が該ねじ棒の一端側外方に移動することを規制する外側規制部材と、を備える間詰めユニットを一対有するものであって、一対の間詰めユニットにおけるねじ棒と、各ねじ棒の他端側に設けられる連結部材と、両ねじ棒の連結部材同士を連結するための結束バンドと、により、土木用間詰め具の支持具を構成するものを用意し、その上で、区画空間内へのコンクリートの充填前に、隣り合う塊状体間のうち、対向するものの各外側に各間詰めユニットをそれぞれ配置して、各間詰めユニットのねじ棒を区画空間内に向けて延ばすと共に各間詰めユニットの覆い板を各隣り合う塊状体に跨がるようにし、次に、一対の間詰めユニットの連結部材同士を結束バンドにより結束して、各間詰めユニットの覆い板を前記区画空間に向けて引っ張ることから、区画空間内の結束バンドを締め上げるだけで、各覆い板を隣り合う塊状体に跨った状態で撓ませることができ、区画空間内に作業者が手を入れた状態で作業がしにくいときでも、簡単に覆い板に引っ張り力を作用させることができる。このため、隣り合う塊状体間からのコンクリートの漏れを確実に防止できると共に、その作業を、一層容易にできる。
【００１２】
請求項５に係る発明によれば、支持具として、その各外端部に少なくとも雄ねじ部が形成された１本のねじ棒が用いられ、外側規制部材として、ねじ棒の外周に螺合されるナットが用いられ、各覆い板を区画空間内に向けて引っ張るに際し、ナットとねじ棒との螺合関係を利用して、ナットを、該ナットにより覆い板を押圧する位置に移動させることから、外側規制部材としてのナットの位置調整により簡単に覆い板を隣り合う塊状体に沿わせる（馴染ませる）ように撓ませることができ、隣り合う塊状体間からコンクリートが漏れ出ることを確実に防止できる。
【００１３】
請求項６に係る発明によれば、ねじ棒として、覆い板よりも内方側において、覆い板の移動を規制する内側規制部材が設けられたものを用いることから、土木用間詰め具の搬送時、設置時等に、その覆い板が、支持具の内方側に移動することを規制して、当該土木構築物用ユニットの製造において、土木用間詰め具の取り扱い性を高めることができる。このため、土木用間詰め具のセット作業の負担を軽減できる。
【００１４】
請求項７に係る発明によれば、覆い板として、材質が異なる複数の板材による積層構造をもって形成されたものを用いることから、各板材の可撓性の程度に基づきて全体としての覆い板の可撓性を調整することができ、隣り合う塊状体間に跨る覆い板の撓み（湾曲）状態を最適な撓み状態に簡単にできる。このため、隣り合う塊状体間からコンクリートが漏れ出ることを、一層確実に防止できる。
【００１５】
請求項８に係る発明によれば、覆い板として、複数の板材による積層構造をもって形成されたものを用い、複数の板材のうち、最内方の板材として、最も薄くしたものを用いることから、コンクリートの充填を終えてコンクリートが硬化した後、覆い板と硬化コンクリートとが一体化して覆い板を完全な状態で取り外すことができない場合であっても、最内方の板材を除く他の板材を、硬化コンクリートの影響を受けることなく取外すことができ、それを、繰り返し使用することができる。このため、当該土木構築物用ユニットを製造するに際して、覆い板（複数の板材）のうち、使い捨てになる部分（量）を最小限に抑えることができる。
【００１６】
請求項９に係る発明によれば、複数の塊状体が並べられることにより形成される区画空間内にコンクリートを充填するに際して、各隣り合う塊状体間を閉塞する土木用間詰め具であって、前記各隣り合う塊状体間を該各隣り合う塊状体の外側から覆う複数の可撓性覆い板と、前記覆い板同士間を跨るように延びて該各覆い板を貫通する支持具と、前記支持具の各外端部に着脱可能にそれぞれ取付けられ前記各覆い板が該支持具の外端部外方に移動することを規制する外側規制部材と、を備えていることから、区画空間内へのコンクリートの充填前に、当該土木用間詰め具を用い、その土木用間詰め具の支持具を区画空間内に配設すると共に、その土木用間詰め具の各覆い板を各隣り合う塊状体に外側からそれぞれ跨らせた状態にして、各覆い板を、支持具及び外側規制部材に基づき該区画空間内に向けて引っ張る状態とすれば、各隣り合う塊状体間を閉塞できる。このため、前記請求項１に係る土木構築物用ユニットの製造方法の実施に直接使用する土木用間詰め具を提供できる。
【００１７】
請求項１０に係る発明によれば、覆い板と、該覆い板を摺動可能に貫通するねじ棒と、該ねじ棒の一端側に着脱可能に設けられて覆い板が該ねじ棒の一端側外方に移動することを規制する外側規制部材と、を有する間詰めユニットが、一対を一組として備えられ、支持具が、連結具を用いることにより一対の間詰めユニットにおけるねじ棒の他端側外周面同士を当接状態に保持する構成とされていることから、一対の間詰めユニットにおけるねじ棒の少なくともいずれか一方をその軸心を中心として回転させて、一対の間詰めユニットにおける両ねじ棒を、該両ねじ棒の他端側外周面同士の当接領域が増加する方向に移動させることができ、各ねじ棒とその各ねじ棒上の外側規制部材とに基づき、各覆い板を、隣り合う塊状体に跨った状態で撓ませることができる。このため、当該土木用間詰め具を用いることにより、前記請求項２に係る土木構築物用ユニットの製造方法の実施に直接使用する土木用間詰め具を提供できる。
【００１８】
請求項１１に係る発明によれば、覆い板と、該覆い板を摺動可能に貫通するねじ棒と、該ねじ棒の一端側に着脱可能に設けられて覆い板が該ねじ棒の一端側外方に移動することを規制する外側規制部材と、を有する間詰めユニットが複数備えられ、支持具が、複数の間詰めユニットにおける複数のねじ棒と、放射状に連結された複数の連結ねじ棒と、各連結ねじ棒の外周面と各ねじ棒の他端側外周面とをそれぞれ当接状態に保持する複数の連結具と、により構成されていることから、各間詰めユニットのねじ棒を、その各ねじ棒の軸心を中心として回転させて、各ねじ棒及び連結ねじ棒を、そのねじ棒及び連結ねじ棒の外周面同士の当接領域が増加する方向に移動させることができ、各覆い板を、隣り合う塊状体に跨った状態で引っ張る状態（撓む状態）にできる。このため、当該土木用間詰め具を用いることにより、前記請求項３に係る土木構築物用ユニットの製造方法の実施に直接使用する土木用間詰め具を提供できる。
【００１９】
請求項１２に係る発明によれば、覆い板と、該覆い板を摺動可能に貫通するねじ棒と、該ねじ棒の一端側に着脱可能に設けられて覆い板がねじ棒の一端側外方に移動することを規制する外側規制部材と、を有する間詰めユニットが、一対を一組として備えられ、支持具が、一対の間詰めユニットにおけるねじ棒と、該各ねじ棒の他端側に設けられる連結部材と、該両ねじ棒の連結部材同士を連結するための結束バンドと、により構成されていることから、一対の間詰めユニットの連結部材同士を結束バンドにより結束して、各間詰めユニットの覆い板を区画空間に向けて引っ張ることができ、これにより、各覆い板を、隣り合う塊状体に跨った状態で引っ張る状態にできる。このため、当該土木用間詰め具を用いることにより、前記請求項４に係る土木構築物用ユニットの製造方法の実施に直接使用する土木用間詰め具を提供できる。
【００２０】
請求項１３に係る発明によれば、支持具として、その各外端部に少なくとも雄ねじ部が形成された１本のねじ棒が用いられ、外側規制部材として、ねじ棒の外周に螺合されるナットが用いられていることから、ナットとねじ棒との螺合関係を利用して、ナットにより覆い板を隣り合う塊状体に跨った状態で撓ませることができる。このため、請求項５に係る土木構築物用ユニットの製造方法の実施に直接使用する土木用間詰め具を提供できる。
【００２１】
請求項１４に係る発明によれば、外側規制部材が、ねじ棒に対して該ねじ棒の外端から一定範囲に限り螺合可能とされ、外側規制部材に、該外側規制部材に回動力を付与する回動力付与部が備えられていることから、回動力付与部を利用して、外側規制部材をねじ棒の外端から一定範囲を超えて螺合させようとすると、その後には、外側規制部材とねじ棒とが一体となって回動することになり、この一体的な回動により、一対の間詰めユニットにおける両ねじ棒（又はねじ棒と連結ねじ棒）を、その両雄ねじ部のねじ山の案内作用に基づき、その両外周面同士の当接領域が増加する方向に移動させることができる。このため、外側規制部材と回動力付与部とを利用することにより、的確且つ容易に、各覆い板を、隣り合う塊状体に跨った状態で引っ張る状態にできる。
勿論、回動力付与部は、作業者が把持する把持部として、また、工具を係合させる係合部として、利用されることになり、その利用により作業を容易にすることができる。
【００２２】
請求項１５に係る発明によれば、ねじ棒の外周に、覆い板よりも内方側において、該覆い板の移動を規制する内側規制部材が設けられていることから、当該土木用間詰め具を用いることにより、土木構築物用ユニットの製造に際して、当該土木用間詰め具の搬送時、設置時等に、その覆い板がねじ棒の軸心延び方向内方側に移動することを内側規制部材により規制できる。このため、請求項６に係る土木構築物用ユニットの製造方法の実施に直接使用する土木用間詰め具を提供できる。
【００２３】
請求項１６に係る発明によれば、覆い板が、材質が異なる複数の板材による積層構造をもって形成されていることから、各板材の撓み程度を調整することにより全体としての覆い板の撓み性を調整できることになり、隣り合う塊状体間に跨った状態での覆い板の撓みを最適な状態にできる。このため、隣り合う塊状体間からコンクリートが漏れ出ることを、一層確実に防止できる。
【００２４】
請求項１７に係る発明によれば、覆い板が、複数の板材による積層構造をもって形成され、複数の板材のうち、最内方の板材が最も薄くされていることから、区画空間内へのコンクリートの充填後に、コンクリートと最内方の板材とが一体化したとしても、その薄い最内方の板材のみを使い捨てにすればよくなり、残りの板材については、繰り返し使用することができる。このため、当該土木構築物用ユニットを製造するに際して、覆い板を構成する板材の使い捨て量を最小限に抑えることができる。
【００２５】
請求項１８に係る発明によれば、覆い板が、複数の板材による積層構造をもって形成され、複数の板材として、木材、ウレタンフォームシート、厚手のヤシ繊維シート、薄手のヤシ繊維シートが備えられ、覆い板が、木材、ウレタンフォームシート、厚手のヤシ繊維シート、薄手のヤシ繊維シートを支持具の延び方向内方側に向けて順に、積層した構成とされ、木材の横幅が、隣り合う塊状体間の横幅よりも狭くされていることから、前述の請求項１６及び１７の作用効果を具体的に得ることができるばかりか、覆い板を撓ませるための引張力を木材を介して他の板材に的確に付与して、隣り合う塊状体間からのコンクリートの漏れ出しを防止する観点から、覆い板の可撓性、弾力性等を最良のものにできる。
【図面の簡単な説明】
【００２６】
【図１】第１実施形態に係る土木構築物用ユニットを示す平面図。
【図２】図１の平面図。
【図３】第１実施形態に係る土木用間詰め具を示す正面図。
【図４】第１実施形態に係る土木用間詰め具を説明する一部破断拡大説明図。
【図５】第１実施形態に係る土木用間詰め具を、その覆い板の外方側から見た図。
【図６】第１実施形態に係るねじ棒の構造を説明する説明図。
【図７】図６の左側面図。
【図８】第１実施形態に係る結束バンドの使用状態を示す説明図。
【図９】第１実施形態に係る製造工程を説明する説明図。
【図１０】図９の続きの工程を説明する説明図。
【図１１】図１０の続きの工程を説明する説明図。
【図１２】図１１の状態を平面的に示す図。
【図１３】図１２の続きの工程を説明する説明図。
【図１４】図１３の続きの工程を説明する説明図。
【図１５】図１４の続きの工程を説明する説明図。
【図１６】図１５の続きの工程を説明する説明図。
【図１７】第２実施形態に係る土木構築物用ユニットを平面的に説明する説明図。
【図１８】第１実施形態に係る間詰めユニットを隣り合う自然石間の外側に配置した状態を示す斜視図。
【図１９】第３実施形態に係る土木用間詰め具を示す説明図。
【図２０】一対の間詰めユニットにおける内側ねじ棒を連結具を用いて連結した状態を示す斜視図。
【図２１】第３実施形態に係る土木用間詰め具を用いて、各隣り合う自然石間を間詰めした状態を示す平面図。
【図２２】第４実施形態に係る土木用間詰め具を用いる態様を平面的に示す説明図。
【図２３】第４実施形態における各間詰めユニット同士の連結を説明する説明図。
【発明を実施するための形態】
【００２７】
以下、本発明の実施の形態について図面を参照して詳細に説明する。
第１実施形態に係る土木構築物用ユニットの製造方法を説明する前に、その製造方法に基づき製造される土木構築物用ユニットについて説明する。
実施形態に係る土木構築物用ユニット１は、施工面に乱積みして護岸、護床機能等を発揮するものである。この土木構築物用ユニット１は、図１，図２に示すように、略立方体状のコンクリートブロック体４の周囲に４個の自然石２ａ（塊状体）が若干の隙間５をあけつつ囲むように配置され、そのコンクリートブロック体４の上側には上側自然石２ｂ、そのコンクリートブロック体４の下側には下側自然石２ｃが配置されたものとなっている。このコンクリートブロック体４周囲の自然石２ａ、上側自然石２ｂ、下側自然石２ｃには、アンカー３の一端部（本実施形態では２本のアンカー３の一端部）がそれぞれ取付けられており、その各他端部は、各自然石２ａ（２ｂ，２ｃ）から遠のく方向にそれぞれ延びている。コンクリートブロック体４周囲の各自然石２ａのアンカー３は、そのアンカー３の一端部よりも他端側が側方からコンクリートブロック体４に進入されており、上側自然石２ｂのアンカー３は、そのアンカー３の一端部よりも他端側が上側からコンクリートブロック体４内に進入されており、下側自然石２ｃのアンカー３は、そのアンカー３の一端部よりも他端側が下側からコンクリートブロック体４内に進入されている。この各アンカー３には、図示を略す抜け止め部（拡張部等）が設けられており、この各アンカー３に基づき各自然石２ａ〜２ｃはコンクリートブロック体４に一体化されている。この場合、本実施形態においては、自然石２ａ，２ｂ，２ｃに対してアンカー３の端部を連結するために、各自然石２ａ（２ｂ，２ｃ）に取付け孔が形成され、その取付け孔内に接着剤（図示略）と共にアンカー３端部が挿入されている。また、各自然石２ａ〜２ｃとしては、２ｔｏｎ〜６ｔｏｎタイプにおいて、０．６〜０．８ｍ前後の径のものが用いられる。
【００２８】
このような土木構築物用ユニット１は、前記アンカー３を備えた自然石２ａ〜２ｃ、コンクリートに加えて、土木用間詰め具２１が用いて製造される。
【００２９】
先ず、土木用間詰め具２１について説明する。土木用間詰め具２１は、本実施形態においては、図３，図４に示すように、一対の間詰めユニット２２と、その一対の間詰めユニット２２を連結する結束バンド２３と、を具備している。
【００３０】
前記各間詰めユニット２２は、図３〜図７，１８に示すように、ねじ棒２４と、そのねじ棒２４が摺動可能に貫通する覆い板２５と、そのねじ棒２４に着脱可能に取付けられる外側規制部材２６と、を備えている。
ねじ棒２４は、本実施形態においては、内側ねじ棒２７と外側ねじ棒２８とを有し、その内側ねじ棒２７と外側ねじ棒２８とは内側規制部材２９を介して連結されている。内側規制部材２９は、樹脂製の外筒部３０と、その外筒部３０内に一体的（相対回転不能及び相対変位動不能）に内蔵されるジョイント部３１とにより構成されており、外筒部３０は、外側ねじ棒２８が存在する側（ねじ棒２４の軸心延び方向外方）に向うに従ってその内径が拡径される円筒形状とされ、ジョイント部３１は、その内部に雌ねじ孔３２を有し、その雌ねじ孔３２が、その軸心を外筒部３０の軸心に合致させた状態で、外筒部３０の軸心延び方向両側から開口されている。このジョイント部３１は、外側ねじ棒２８が存在する側である外端側の外周面が、非円形状である六角形状に形成されており（図７参照）、その外端側のジョイント部３１と外筒部３０の内周面との間には、環状空間３３が形成されている。この環状空間３３には、回転工具のソケット（図示略）を入り込ませることができることなっており、そのソケットを介してジョイント部３１に回動力を付与できることになっている。
内側ねじ棒２７には、少なくとも、その軸心延び方向両側に雄ねじ部が形成されており、その一端部は前記内側規制部材２９のジョイント部３１の内端側に螺合されている。この内側ねじ棒２７の他端部には、連結部材３４が取付けられており、その連結部材３４は、ソケット部３５と、リング部３６とを一体的に備えている。ソケット部３５には雌ねじ孔（図示略）が貫通した状態で形成されており、その雌ねじ孔には内側ねじ棒２７の他端部が螺合されている。リング部３６は、リング形状をなして引っ掛け部を構成しており、そのリング部３６は、内側ねじ棒２７とソケット部３５との螺合関係により位置調整が可能となっている。
外側ねじ棒２８には、少なくとも、その軸心延び方向両側に雄ねじ部が形成されており、その一端部は内側規制部材２９におけるジョイント部３１の外端側に螺合されている。これにより、この外側ねじ棒２８と前記内側ねじ棒２７とは、内側規制部材２９を介して一体化することになり、これらは、ねじ棒２４を構成することになる。
【００３１】
前記覆い板２５は、本実施形態においては、図３〜図５，図１８に示すように、材質が異なる複数の板材２５ａ〜２５ｄを用いた積層構造とすることにより可撓性と弾力性とが確保されている。複数の板材２５ａ〜２５ｄは、その各材質が一方側から他方側に向けて可撓性を高める配置となっており、例えば、複数の板材２５ａ〜２５ｄとして、木材２５ａ、ウレタンフォーム２５ｂ、厚手のヤシ繊維シート（又は厚手のスポンジ）２５ｃ、薄手のヤシ繊維シート２５ｄ（厚手のヤシ繊維シート又は厚手のスポンジ等２５ｃよりも薄くされたもの）が用意され、その複数の板材２５ａ〜２５ｄが、その順で積層されている。この場合、可撓性、弾力性を適宜、調整するために、各板材２５ａ〜２５ｄの厚みを調整したり、さらに他の板材を加えるようにしてもよいが、最も内方となる板材（本実施形態ではヤシ繊維シート）２５ｄに関しては、できるだけ薄くすることが好ましい。後述するように、最も内方となる板材２５ｄは、コンクリートに接触又は馴染んでコンクリートと一体化し、繰り返し使用することができないこと（的確に剥がすことができないこと）から、使い捨てとなる部分をできるだけ少なくするためである。その一方、その薄手の板材２５ｄの外方側に積層された板材２５ｃについては、コンクリートと一体化することがないことから、可撓性及び弾力性を的確に確保するために厚手とされている。
この複数の板材２５ａ〜２５ｄは、その高さが、前述の土木構築物用ユニットにおける自然石２ａの高さないしはそれ以上の高さとされている一方、その複数の板材２５ａ〜２５ｄの横幅に関しては、一方側最外方の板材２５ａが最も狭く、その一方側最外方の板材２５ａよりも他方側（内方側）の板材２５ｃ、２５ｄは、その一方側最外方の板材２５ａの横幅よりも横方向両側に拡大されて、前述の土木構築物用ユニット１における隣り合う自然石２ａ間の隙間５を十分に跨ぐことができる横幅となっている。
この複数の板材２５ａ〜２５ｄには、上下２個所において貫通孔３８が形成されている（図４参照）。その各貫通孔３８には、前記外側ねじ棒２８（ねじ棒２４）がそれぞれ摺動可能に挿通されており、その際、覆い板２５の複数の板材２５ａ〜２５ｄは、その他方側、すなわち、可撓性が高まる側が内側規制部材２９側に向けられている。この場合、覆い板２５は、その移動によりその貫通孔３８周縁部が内側規制部材２９に当接可能となっており、覆い板２５は、内側規制部材２９により、内側ねじ棒２７側に移動することが規制されている。
【００３２】
前記外側規制部材２６として、フランジ付き有底筒状のソケット部材が用いられ、そのソケット部材の内周面には雌ねじが形成されている。外側規制部材２６は、図４に示すように、外側ねじ棒２８（ねじ棒）の外端側から螺合されており、この外側規制部材２６のフランジ部２６ａと前記内側規制部材２９とは前記覆い板２５の貫通孔３８周縁部を挟持している。この外側規制部材２６には、扁平状の回動力付与部３９が一体的に設けられている。この回動力付与部３９は、外側ねじ棒２８の軸心延び方向外方に向けて延びており、その回動力付与部３９には、手作業を考慮して扁平形状にすることに加えて、ドライバー等の工具を差し込んで回動力を付与するための長孔４０が形成されている。
【００３３】
前記結束バンド２３は、前記一対の間詰めユニット２２を連結して該一対の間詰めユニット２２の覆い板２５間の間隔を調整する目的を有している。この結束バンド２３は、既知の如く、図８に示すように、全体が細幅の帯状に形成され、その一端部４１には、他端部４２を通した任意の状態で固定するための固定部４３が取付けられている。そして、この結束バンド２３は、使用に際して、一対の間詰めユニット２２における両内側ねじ棒２７のリング部３６（連結部）に掛け通すと共に、その結束バンド２３の他端部４２を固定部４３に通して締め上げることが行われる。
【００３４】
このように、本実施形態においては、土木用間詰め具２１として、一対の間詰めユニット２２と、それらを連結する結束バンド２３とにより構成されたものを示しているが、その一対の間詰めユニット２２のねじ棒２４（外側ねじ棒２８及び内側ねじ棒２７）、その一対のねじ棒２４にそれぞれ設けられる連結部材３４及びその一対のねじ棒２４の連結部材３４を連結する結束バンド２３が、長尺な支持具を構成することになる。
【００３５】
上述の一対の土木用間詰め具２１が複数組（本実施形態では２組）用意されると、図９に示すように、作業面１３上に下側自然石２ｃを収納するための凹所１２を形成する。この場合、作業面は、盛土により形成してもよいし、地面を平坦にすることにより形成してもよい。
【００３６】
次に、図１０に示すように、凹所１２内に下側自然石２ｃを収納する。このとき、下側自然石２ｃのアンカー３は上方に向けられ、また、下側自然石２ｃと凹所１２内壁との間の上部隙間には砂利等１４が充填される。
【００３７】
次に、図１１，図１２に示すように、作業面１３上に、凹所１２内の下側自然石２ｃを囲むようにして４個の自然石２ａを配置する。これにより、作業面１３上であって下側自然石２ｃの上側において、４個の自然石２ａにより区画空間６が形成される。このとき、各自然石２ａのアンカー３は、区画空間６内に向けて延びることになる。尚、本実施形態においては、区画空間６を形成する各隣り合う自然石２ａ間に多少の隙間５が形成される。
【００３８】
次に、図１３，図１８に示すように、各組の土木用間詰め具２１における間詰めユニット２２を、その覆い板２５が各隣り合う自然石２ａ間をその隣り合う自然石２ａの外側から跨ぐようにそれぞれ配置する。このとき、各間詰めユニット２２のねじ棒２４は、隣り合う自然石間２ａの隙間５から区画空間６内に延びるようにされる。またこのとき、隣り合う自然石２ａ間の隙間５が塞がり易くするべく、各間詰めユニット２２の覆い板２５は、その下側部分を外側に折り込んだ状態にしつつ隣り合う自然石２ａ間に押し込むのが好ましい。尚、図１３においては、土木用間詰め具２１を見易くするため、各自然石２ａのアンカー３については、省略されている。
【００３９】
次に、図１４に示すように、各対向する両間詰めユニット２２におけるリング部３６に結束バンド２３を掛け通して締め上げ、各対向する両間詰めユニット２２（リング部３６）を連結（結束）する。これにより、各結束バンド２３は、緊張状態をもって一対のねじ棒２４を連結し、一対のねじ棒２４と、その一対のねじ棒２４を連結する結束バンド２３とは、支持具として、区画空間６内を横切って、各対向する自然石２ａ間を跨ぐ。これと同時に、各間詰めユニット２２における覆い板２５は、隣り合う自然石が不規則な形状にもかかわらず圧縮されつつ沿うようにして撓むことになり、その各覆い板２５により各隣り合う自然石２ａ間の隙間５は的確に塞がれる。この場合、区画空間６内に各自然石２のアンカー３が進入して、その区画空間６内で作業がしずらい状況にあるが、区画空間６内で結束バンド２３を締め上げるだけの作業となることから、両間詰めユニット２２の連結、覆い板２５の撓ませ作業を簡単に行うことができる。
尚、図１４においても、土木用間詰め具２１を見易くするため、各自然石２ａのアンカーについては、省略されている。
【００４０】
各隣り合う自然石２ａ間の隙間５が土木用間詰め具２１（間詰めユニット２２）を用いて塞がれると、図１５に示すように、上記４つの自然石２ａが形成する区画空間６内にコンクリート４４が充填される。この充填コンクリート４４の圧力は、隣り合う自然石２ａ間の隙間５から覆い板２５に作用することになるが、そのコンクリート圧は、支持具たる一対のねじ棒２４及び結束バンド２３の引張り強度として受け止めることになる。また、覆い板２５が可撓性と弾力性とを有して隣り合う自然石２ａに沿うように圧縮されつつ撓み、各隣り合う自然石２ａ間の隙間５を的確に塞ぐことになり、各隣り合う自然石２ａ間の隙間５からコンクリート４４が漏れ出ることが確実に防止される。
【００４１】
コンクリート４４が区画空間内に規定高さ（自然石２ａの上端部高さ）まで充填されると、図１５に示すように、そのコンクリート４４が未硬化であるうちに、上側自然石２ｂが４つの自然石２ａの上に配置される。このとき、上側自然石２ｂのアンカー３は、未硬化のコンクリート４４内に進入される。
【００４２】
区画空間６内のコンクリート４４が硬化してコンクリートブロック体４が形成されると、各土木用間詰め具２１において、外側規制部材２６が取り外されると共に覆い板２５が引き抜かれ、さらには、図１６に示すように、外側ねじ棒２８が内側規制部材２９のジョイント部３１から取り外されると共に内側規制部材２９が内側ねじ棒２７から取り外される。この内側規制部材２９を内側ねじ棒２７から取り外すに際しては、六角形状のジョイント部３１に回動工具のソケットが嵌合され、その回動工具を回動させることが行われる。勿論この場合、内側規制部材２９の外筒部３０が、その内端側に向かうに従って縮径されていることから、内側規制部材２９は、コンクリートブロック体４及び内側ねじ棒２７から容易に取り外れる。
【００４３】
内側規制部材２９が取り外されると、その内側規制部材２９が存在した空間が凹所４５としてコンクリートブロック体４に形成されることになるが、その凹所４５は、図１６に示すように、モルタル等の充填材により埋められる。これにより、コンクリートブロック体４の表面から凹所４５がなくなると共に、その凹所４５内に存在していた内側ねじ棒２７も外部に露出することはなくなる。これにより、土木構築物用ユニット１が完成されたことになる。
【００４４】
したがって、上記土木構築物用ユニット１の製造方法においては、支持具としての一対のねじ棒２４及び結束バンド２３が、充填されたコンクリート４４圧をそれらの延び方向両側の覆い板２５を介して、その引張り強度として受け止めることになり、区画空間６内のコンクリート４４圧に対して覆い板２５は十分に抗することができる。しかも、覆い板２５が可撓性及び弾力性を有することから、覆い板２５を隣り合う自然石２ａに押し付けた状態として撓ませることができ、覆い板２５を隣り合う自然石２ａに沿わせる（馴染ませる）ことができる。このため、覆い板２５による隣り合う自然石２ａ間の閉塞状態を確実に維持して、その隣り合う自然石２ａ間からコンクリート４４が漏れ出ることを確実に防止できる。
また、土木用間詰め具２１が比較的軽量な部材を用いて形成されていることから、搬送性、取り扱い性等を高めることができる。しかも、上記のように、区画空間６内へのコンクリート４４の充填前に、一対のねじ棒２４及び結束バンド２３を、支持具として、区画空間６内を横切るように延ばし、隣り合う自然石２ａ間のうち、対向するもの同士間を跨ぐようにすると共に、その対向する隣り合う自然石２ａ間をその隣り合う自然石２ａの外側から一対の覆い板２５により覆うようにセットするだけで、その対向する隣り合う自然石２ａ間の間詰め作業を終えることになり、重量物の積み上げ作業等をなくすことができる。
【００４５】
図１７は第２実施形態、図１９〜図２１は第３実施形態、図２２，図２３は第４実施形態を示す。この各実施形態において、第１実施形態又は該各実施形態の前に説明した実施形態と同一構成要素については、同一符号を付してその説明を省略する。
【００４６】
図１７は、第２実施形態に係る土木用間詰め具２１を示す。この第２実施形態に係る土木用間詰め具２１は、前記第１実施形態の構成において、結束バンド２３、連結部材３４をなくし、一対の間詰めユニット２２の内側ねじ棒２７を連続させることにより、１本の支持軸４６（支持具）を有するようにしている。この場合、支持軸４６としては、その全長が、区画空間６内を横切って、対向する隣り合う自然石２ａ間を跨ぐ長さのものが必要となり、少なくともその延び方向両側には雄ねじ部を有していることが必要となる。また、覆い板２５を撓ませるためには、内側規制部材２９及び外側規制部材２６としてのナットを回動させてそれらの位置を支持軸４６の軸心延び方向内方に移動させることになる。
これにより、この第２実施形態においても、前記第１実施形態同様、充填コンクリート４が隣り合う自然石２ａ間から漏れ出ることを防止できる。また、支持軸４６、覆い板２５等を一体のものとして扱うことができ、搬送性、取り扱い性を高めることができる。
【００４７】
図１９〜図２１に示す第３実施形態に係る土木用間詰め具２１は、使用することにより当該土木構築物用ユニット１の剛性を高めるものを示している。このため、第３実施形態に係る土木用間詰め具２１は、前記第１実施形態における構成において、結束バンド２３、連結部材３４をなくし、それに代えて、一対の間詰めユニット２２における内側ねじ棒２７の他端側外周面の雄ねじ部同士を噛み合わせ（当接状態）、その状態を連結具５１により保持することになっている。そしてその上で、外側規制部材２６をその軸心を中心として回動させることにより、その外側規制部材２６と共に外側ねじ棒２８及び内側ねじ棒２７を一体的に回動させ、これにより、隣り合う自然石２ａに跨った各覆い板２５を区画空間６内に向けて引っ張ることになっている。
【００４８】
具体的に説明する。外側規制部材２６は、各間詰めユニット２２における外側ねじ棒２８に対してその外端から一定範囲を超える位置に達すると、その外側規制部材２６の底部（ソケット部の底部）に外側ねじ棒２８の端面が当接し、それ以上は、外側ねじ棒２８に対して螺合できないことになっている。このため、引き続き、外側規制部材２６を回動付与部３９を介して回動させた場合には、外側ねじ棒２８及び内側ねじ棒２７は、外側規制部材２６と共に一体的に回動することになる。また、一対の間詰めユニット２２の内側ねじ棒２７は、第１実施形態の場合よりも長くされており、一対の間詰めユニット２２（覆い板２５）が、隣り合う自然石２ａ間のうち、対向するものの外側にセットされたときには、図１９に示すように、一対の間詰めユニット２２における両内側ねじ棒２７の他端側が重なる部分を有することになっている。この両内側ねじ棒２７には、その外周面全長に亘って雄ねじ部が形成されており、その両内側ねじ棒２７の他端側外周面を当接させたときには、その両内側ねじ棒２７の雄ねじ部同士が互いに噛み合うことが可能となっている。
【００４９】
本実施形態においては、上記両内側ねじ棒２７の他端側外周面のねじ山に基づく案内作用を利用して、各覆い板２５を引っ張る状態にするべく、連結具５１が用いられる。連結具５１は、図１９，図２０に示すように、ねじ孔５２が形成された頂壁部５３と、その頂壁部５３から対向してそれぞれ垂下する一対の側壁部５４と、その各側壁部５４に対向するようにそれぞれ形成される一対の長孔５５と、頂壁部５３のねじ孔５２にねじ込まれる締め具５６と、を備えており、この連結具５１を用いることにより、両内側ねじ棒２７の他端側外周面同士は、その連結具５１に当接状態をもって保持される。具体的には、図１９，図２０に示すように、両間詰めユニット２２の各内側ねじ棒２７の他端側が、相反する方向から上下配置をもって一対の長孔５５に挿通され、その状態の下で締め具５６が締付けられる。これにより、両内側ねじ棒２７の他端側外周面は、上下配置の下で当接状態をもって長孔５５内周面に押し付けられることになり、両内側ねじ棒２７の他端側外周面における雄ねじ部同士は噛み合った状態（雄ねじ部同士における山と谷が係合した状態）に保持される。このため、このときには、両内側ねじ棒２７は、その延び方向の引張力、圧縮力に対して変位動不能となる一方、外側規制部材２６を回動させることにより、両内側ねじ棒２７の他端側外周面同士の当接領域が増加する方向に移動できることになる。
尚、この第３実施形態においては、内側ねじ棒２７，外側ねじ棒２９（ねじ棒２４）、連結具５１が支持具を構成する。
【００５０】
このような土木用間詰め具２１を用いて当該土木構築物用ユニットを製造するに際しては、先ず、区画空間６内へのコンクリートの充填前に、隣り合う自然石２ａ間のうち、対向するものの各外側に各間詰めユニット２２をそれぞれ配置して、その各間詰めユニット２２の内側ねじ棒２７を区画空間６内に向けて延ばすと共にその各間詰めユニット２２の覆い板２５を各隣り合う自然石２ａに跨がるようにする。次に、連結具５１を用いることにより、両間詰めユニット２２における内側ねじ棒２７の他端側外周面同士を重なる範囲で当接状態をもって保持する。そしてこの後、一対の間詰めユニット２２における内側ねじ棒２７の少なくともいずれか一方を、外側規制部材２６の回動力付与部３９を利用して回動させ、一対の間詰めユニット２２における両内側ねじ棒２７を、両内側ねじ棒２７のねじ山同士の案内作用に基づき、それらの他端側外周面同士の当接領域が増加する方向に移動させる。
【００５１】
これにより、一対の間詰めユニット２２の両内側ねじ棒２７の全長が短縮（両内側ねじ棒２７他端側の重なり部分が増大）され、各間詰めユニット２２の覆い板２５は、隣り合う自然石２ａに跨った状態で引っ張られて、図２１に示すように、撓み状態となる。勿論、このような作業は、他の隣り合う自然石２ａ間の隙間５においても、別の一対の間詰めユニット２２等を用いて同様に行われる。このため、この後、コンクリートを区画空間６内に充填しても、前記各実施形態同様、隣り合う自然石２ａ間からコンクリートが漏れ出ることを簡単且つ確実に防止できる。
【００５２】
この後、区画空間６内のコンクリートが硬化すると、前記第１実施形態同様、外側規制部材２６、覆い板２５、内側規制部材２９等が取り除かれると共に、内側規制部材２９の除去後の空間にモルタル等が充填され、製造工程を終えることになる。この場合、この製造された土木構築物用ユニット１（コンクリートブロック体４）内には、金属だけからなる内側ねじ棒２７同士の結合体が残存されており、それを剛性の高い補強材として利用できることになる。このため、当該土木構築物用ユニット１の強度は著しく高くなる。
【００５３】
図２２，図２３に示す第４実施形態は、隣り合う自然石２ａ間の隙間５の数が偶数でない場合（隣り合う自然石２ａ間の隙間５が対向するものでない場合）に用いられる土木用間詰め具２１を示している。このため、この第４実施形態に係る土木用間詰め具２１においては、隣り合う自然石２ａ間の隙間５の数の間詰めユニット２２と、その間詰めユニット２２の数に応じた数が放射状に連結された複数の連結ねじ棒６１と、各間詰めユニット２２の内側ねじ棒２７の外周面と各連結ねじ棒６１の外周面とを当接状態をもって保持する連結具５１と、が備えられている。
【００５４】
各間詰めユニット２２としては、基本的に、前記第３実施形態に係る間詰めユニット２２と同じ構成のものが用いられ、内側ねじ棒２７の延び方向長さのみが、第３実施形態における内側ねじ棒２７の長さに比べて短くされている。このため、図２２に示すように、各間詰めユニット２２の覆い板２５を隣り合う自然石２ａの外側に配置すると共に、その内側ねじ棒２７を区画空間６に向けて延びるように配置した場合には、内側ねじ棒２７の他端部は区画空間６の略中央部までに至らないことになっている。
【００５５】
複数の連結ねじ棒６１は、本実施形態においては、分岐用連結具６２を用いることにより放射状に連結されている。分岐連結具６２は、複数の連結ねじ棒６１を連結すべく、複数（本実施形態においては３つ）の連結筒６３を一体的に備えている。その各連結筒６３は、その一端側が外部に開口されていると共に、その一端側内周面には雌ねじが形成されている。一方、各連結筒６３の他端部は、扁平形状に形成されており、その扁平形状の各他端部は、積層状態をもって連結されている。この場合、本実施形態においては、各連結筒６３の他端部を連結するために、ねじ６４が、複数の連結筒６３の積層された他端部を貫通するようにして用いられている。ねじ６４は、頭部６４ａと軸部６４ｂとを有しており、そのねじ６４の軸部６４ｂは、複数の連結筒６３の積層された他端部のうち、最下層以外の他端部を貫通した後、最下層の他端部のねじ孔（図示略）にねじ込まれ、そのねじ６４の頭部６４ａと連結筒６３の最下層の他端部とにより、それ以外の他端部が挟持されている。このため、本実施形態に係る分岐用連結具６２においては、最終的に、ねじ６４の頭部６４ａと連結筒６３の最下層の他端部とにより、最下層の他端部以外の他端部を強固に挟持する前に、各連結筒６３（一端側開口）の向きを簡単に調整できるばかりか、分岐用連結具６２において用いる連結筒６３の数を、隣り合う自然石２ａ間の隙間５の数に応じて簡単に増減できる。この分岐用連結具６２の各連結筒６３（一端側）に、連結ねじ棒６１の一端側がそれぞれ螺合され、複数の連結ねじ棒６１の他端側は、分岐連結具６２を中心として放射状に延びることになる。この分岐用連結具６２に連結された複数の連結ねじ棒６１が、作業時に、区画空間６の略中央に持ち込まれることになる。
【００５６】
連結具５１としては、前記第３実施形態に係る連結具５１と同様のものが用いられている。この連結具５１を用いて、第３実施形態と同様の方法を実施することにより、分岐用連結具６２における各連結ねじ棒６１の他端側外周面と各間詰めユニット２２の内側ねじ棒２７の他端側外周面とが、当接状態をもってそれぞれ保持（連結）されることになる。
尚、この第４実施形態においては、内側ねじ棒２７，外側ねじ棒２９（ねじ棒２４）、複数の連結ねじ棒６１，分岐用連結具６２，連結具５１が支持具を構成する。
【００５７】
このような土木用間詰め具２１を用いて当該土木構築物用ユニットを製造するに際しては、先ず、区画空間６内へのコンクリートの充填前に、各隣り合う自然石２ａ間の外側に間詰めユニット２２をそれぞれ配置し、その各間詰めユニット２２の内側ねじ棒２７を区画空間６内に向けて延ばすと共にその各間詰めユニット２２の覆い板２５を各隣り合う自然石２ａに跨がるようにする。次いで、連結具５１を用いることにより、各内側ねじ棒２７の外周面と各連結ねじ棒６１の外周面とを重なる範囲で当接状態をもって保持する。そしてこの後、各間詰めユニット２２の内側ねじ棒２７を、回動付与部３９を利用して回転させて、該各内側ねじ棒２７及び連結ねじ棒６１を、その両ねじ棒６１，２７のねじ山の案内作用に基づき、それらの外周面同士の当接領域が増加する方向に移動させる。
【００５８】
これにより、各内側ねじ棒２７が外側規制部材２６を利用して各覆い板２５を区画空間６内に向けて引っ張ることになり、各覆い板２５は、図２２の仮想線に示すように、隣り合う自然石２ａに跨った状態で撓んで、各隣り合う自然石２ａ間の間詰めが的確に行われる。したがって、この第４実施形態においては、区画空間６を区画する自然石２ａが、対向関係にない隙間５を形成する場合であっても、分岐連結具６２及び複数の連結ねじ棒６１等を用いることにより、それらの隣り合う自然石２ａ間の間詰めを的確に行うことができる。
勿論この場合も、区画空間６内へのコンクリートの充填後、それが硬化すると、前記第１実施形態同様、外側規制部材２６、覆い板２５、内側規制部材２９等が取り除かれると共に、内側規制部材２９の除去後の空間にモルタル等が充填される。
【００５９】
以上実施形態について説明したが本発明にあっては、次のような態様を包含する。
（１）土木構築物用ユニット１として、上側自然石２ｂ及び下側自然石２ｃが存在せず、コンクリートブロック体４の周囲にのみ自然石２ａが存在する土木構築物用ユニット１に対して土木用間詰め具２１を用いて間詰め作業を行うこと。
（２）隣り合う自然石２ａ間の数が奇数の場合には、土木用間詰め具２１を用いると共に、既存の間詰め方法を複合的に用いること。
（３）塊状体として、自然石２の他に、擬石、ブロック等を用いること。
（４）各実施形態に係る土木構築物用ユニット１を、河川、湖等の護岸、根固め構造物、消波構造物等として適宜、用いること。
（５）自然石２にアンカー３を連結するに際して、接着剤だけでなく、打ち込み式アンカー３を用いて連結してもよいこと。
（６）自然石２ａをアンカー３の両端部に取付けたものを用いて、コンクリートブロック体４の周囲に自然石２ａが配置された土木構築物用ユニット１を製造すること。
（７）ねじ棒２４が、内側ねじ棒２７と外側ねじ棒２８とをジョイント部３１で一体化するものではなく、１本のねじ棒２４自体であるときには、外側規制部材２６、覆い板２５の取り外し後、ねじ棒２４のうちの突出している部分を、そのまま、他の土木構築物用ユニット１との連結具５０として利用するか、又はそれを切断すること。
（８）支持具を、一対のねじ棒２４及びそれらを結束する結束バンド２３により構成するのではなく、一対のねじ棒２４及びそれらを結束する結束バンド２３を１本の支持軸により構成すること。この場合には、隣り合う自然石２ａ間に跨る覆い板２５をその隣り合う自然石２ａに沿うように撓ませるに際しては、外側規制部材２６の変位動が利用される。外側規制部材２６、覆い板２５の取り外し後、支持軸の突出している部分については、上述のねじ棒２４同様の処置を行うことができる。
（９）内側ねじ棒２７の他端部に螺合する連結部材３４として、蝶ナットを用いて、その形状を結束バンド２３の引っ掛け部として利用したり、両端部に孔を有する板座金（例えばＬ字座金）を用意し、その一方側をナットを利用して内側ねじ棒２７に保持する一方、他方側の孔を結束バンド２３を巻回する孔として利用すること。
【符号の説明】
【００６０】
１  土木構築物用ユニット
２  自然石（塊状体）
３  アンカー
４  コンクリートブロック体
６  区画空間
２１  土木用間詰め具
２２  間詰めユニット
２３  結束バンド
２４  ねじ棒
２５  覆い板
２６  外側規制部材
２７  内側ねじ棒
２８  外側ねじ棒
２９  内側規制部材
３０  外筒部
３１  ジョイント部
３４  連結部材
３９  回動力付与部
４４  コンクリート
５１  連結具
６１  連結ねじ棒
６２  分岐用連結具
【図１】
2011246967.tif 000003
【図２】
2011246967.tif 000004
【図３】
2011246967.tif 000005
【図４】
2011246967.tif 000006
【図５】
2011246967.tif 000007
【図６】
2011246967.tif 000008
【図７】
2011246967.tif 000009
【図８】
2011246967.tif 000010
【図９】
2011246967.tif 000011
【図１０】
2011246967.tif 000012
【図１１】
2011246967.tif 000013
【図１２】
2011246967.tif 000014
【図１３】
2011246967.tif 000015
【図１４】
2011246967.tif 000016
【図１５】
2011246967.tif 000017
【図１６】
2011246967.tif 000018
【図１７】
2011246967.tif 000019
【図１８】
2011246967.tif 000020
【図１９】
2011246967.tif 000021
【図２０】
2011246967.tif 000022
【図２１】
2011246967.tif 000023
【図２２】
2011246967.tif 000024
【図２３】
2011246967.tif 000025